(57)【要約】【課題】キーボードのスペースを最大限に確保し、装置の小型化、薄型化を図る。【解決手段】電子機器は、キーボードが設けられた平板状の本体部と、表示面を有し、前記本体部と重なる第１の状態と、前記本体部に対して起立した第２の状態との間をスライドして移動する平板状の表示部と、前記第１の状態では前記キーボードと重なるように配置され、前記本体部に対して前記表示部が移動可能となるように前記本体部と前記表示部とを連結する単一のヒンジと、を備える。【選択図】図４
2014232387.tif 000002
【特許請求の範囲】
【請求項１】
キーボードが設けられた平板状の本体部と、
表示面を有し、前記本体部と重なる第１の状態と、前記本体部に対して起立した第２の状態との間をスライドして移動する平板状の表示部と、
前記第１の状態では前記キーボードと重なるように配置され、前記本体部に対して前記表示部が移動可能となるように前記本体部と前記表示部とを連結する単一のヒンジと、
を備える、電子機器。
【請求項２】
前記ヒンジは、前記第１の状態において前記キーボードの幅方向の中央に延在するように配置される、請求項１に記載の電子機器。
【請求項３】
前記本体部の上面よりも前記キーボードの上面が低くなるように段差が設けられ、
前記第１の状態では、前記表示部の前記本体部と対向する面と、前記本体部との間に空間が形成される、請求項１に記載の電子機器。
【請求項４】
前記第１の状態では、前記空間に前記ヒンジが配置される、請求項３に記載の電子機器。
【請求項５】
前記本体部の上面に対して前記キーボードの上面が傾斜している、請求項３に記載の電子機器。
【請求項６】
前記表示部は、前記第１の状態で前記本体部と対向する面の少なくとも一部に凸状領域を有し、
前記第１の状態では、前記空間の少なくとも一部を前記凸状領域が占有し、前記凸状領域には所定のモジュールが配置される、請求項３に記載の電子機器。
【請求項７】
前記第１の状態では、前記凸状領域は前記空間内で前記ヒンジの両側に配置される、請求項６に記載の電子機器。
【請求項８】
前記所定のモジュールは、電子部品が搭載された回路基板、通信のためのモジュール、及びスピーカのうち少なくとも１つを含む、請求項６に記載の電子機器。
【請求項９】
前記キーボードの手前側の領域にポインティングデバイスが設けられた、請求項１に記載の電子機器。
【発明の詳細な説明】
【技術分野】
【０００１】
本開示は、電子機器に関する。
【背景技術】
【０００２】
従来、例えば下記の特許文献１には、情報を入力するキーボードが上面に備えられた本体部と、情報を表示するディスプレイが上面に備えられた表示部とを備え、表示部をスライド機構とチルトアップ・チルトダウン機構とによって本体部に対してスライド及びチルトアップ・チルトダウンする装置が記載されている。
【先行技術文献】
【特許文献】
【０００３】
【特許文献１】特開２００９−２３０２４４号公報
【発明の概要】
【発明が解決しようとする課題】
【０００４】
しかしながら、特許文献１に記載された構成では、本体部に対する表示部の回転支点が本体部の幅方向の両端に２箇所設けられており、且つ回転支点が本体部の奥行き方向の中央付近に設けられているため、キーボードのスペースが大きく制約を受けてしまう可能性がある。このため、特に装置の奥行き方向のスペースを広くとることができず、本体部の平面の大きさに対して非常に小型のキーボードしか搭載できないという可能性がある。従って、キーボードの手前にタッチパッド、パームレスト等の構成要素を配置することは難しかった。
【０００５】
また、特許文献１に記載された構成では、本体部の両端に表示部をスライドさせるスライドガイド（溝）が設けられているため、スライドガイドによって本体部のスペースが奪われてしまい、更なる小型化、薄型化の障害となっている。
【０００６】
このため、キーボードのスペースを最大限に確保し、装置の小型化、薄型化を図ることが求められていた。
【課題を解決するための手段】
【０００７】
本開示によれば、キーボードが設けられた平板状の本体部と、表示面を有し、前記本体部と重なる第１の状態と、前記本体部に対して起立した第２の状態との間をスライドして移動する平板状の表示部と、前記第１の状態では前記キーボードと重なるように配置され、前記本体部に対して前記表示部が移動可能となるように前記本体部と前記表示部とを連結する単一のヒンジと、を備える、電子機器が提供される。
【０００８】
前記ヒンジは、前記第１の状態において前記キーボードの幅方向の中央に延在するように配置されるものであっても良い。
【０００９】
また、前記本体部の上面よりも前記キーボードの上面が低くなるように段差が設けられ、前記第１の状態では、前記表示部の前記本体部と対向する面と、前記本体部との間に空間が形成されるものであっても良い。
【００１０】
また、前記第１の状態では、前記空間に前記ヒンジが配置されるものであっても良い。
【００１１】
また、前記本体部の上面に対して前記キーボードの上面が傾斜しているものであっても良い。
【００１２】
また、前記表示部は、前記第１の状態で前記本体部と対向する面の少なくとも一部に凸状領域を有し、前記第１の状態では、前記空間の少なくとも一部を前記凸状領域が占有し、前記凸状領域には所定のモジュールが配置されるものであっても良い。
【００１３】
また、前記第１の状態では、前記凸状領域は前記空間内で前記ヒンジの両側に配置されるものであっても良い。
【００１４】
また、前記所定のモジュールは、電子部品が搭載された回路基板、通信のためのモジュール、又はスピーカであっても良い。
【００１５】
また、前記キーボードの手前側の領域にポインティングデバイスが設けられたものであっても良い。
【発明の効果】
【００１６】
以上説明したように本開示によれば、キーボードのスペースを最大限に確保し、装置の小型化、薄型化を達成することが可能となる。
【図面の簡単な説明】
【００１７】
【図１】本体部上に表示部を重ねた状態を示す模式図である。
【図２】本体部に対して表示部をスライドさせて起き上がらせた状態を示す模式図である。
【図３】図２の状態を情報処理装置の背面から見た状態を示す模式図である。
【図４】図１に示す状態から表示部を取り外した状態を示す斜視図である。
【図５】本体部、表示部、ヒンジのリンク機構を示す模式図である。
【図６】図５との比較のため、ヒンジがキーボードと重ならないようにした例を示す模式図である。
【図７】情報処理装置の中央の前後方向に沿った断面を示す模式図である。
【図８】図７をより詳細に示す断面図である。
【図９】表示部の裏側に設けた凸状領域を示す模式図である。
【図１０】表示部の内部構造を示す模式図である。
【図１１】凸状領域にモジュールを配置した例を示す模式図である。
【図１２】凸状領域にモジュールを配置した例を示す模式図である。
【発明を実施するための形態】
【００１８】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１９】
なお、説明は以下の順序で行うものとする。
１．情報処理装置の外観例
２．本体部、表示部、ヒンジのリンク機構
３．表示部と本体部の間に設けられる空間の活用
【００２０】
［１．情報処理装置の外観例］
まず、図１〜図３を参照して、本開示の第１の実施形態に係る情報処理装置の概略構成について説明する。図１〜図３は、情報処理装置（電子機器）１０００の外観を示す模式図である。情報処理装置１０００は、本体部１００と表示部２００とを有して構成されている。本体部１００にはキーボード１１０が設けられている。表示部２００は、ＬＣＤ等の表示デバイス上にタッチセンサが設けられたタッチパネル２１０を備えている。
【００２１】
図１は、本体部１００上に表示部２００を重ねた状態を示している。この状態では、ユーザはタッチパネル２１０を操作することで、所望の操作を行うことができる。すなわち、ユーザは情報処理装置１０００をいわゆるタブレット端末として使用することができる。
【００２２】
一方、図２は、本体部１００に対して表示部２００をスライドさせて起き上がらせた状態を示している。この状態では、ユーザはキーボード１１０を操作することで所望の操作を行うことができる。また、ユーザは、表示部２００のタッチパネル２１０を操作することで、所望の操作を行うこともできる。更に、ユーザは、キーボード１１０の手前の領域に設けられたポインティングデバイスであるタッチパッド１２０を操作することで、所望の操作を行うこともできる。
【００２３】
図３は、図２の状態を情報処理装置１０００の背面から見た状態を示している。図３に示すように、本体部１００と表示部２００とは、ヒンジ３００を介して接続されている。情報処理装置１０００は、ヒンジ３００を介して表示部２００が本体部３００に対してスライド動作（以下、サーフスライドとも称する）をすることで、図１に示す状態と図２に示す状態とを相互に移行することができる。
【００２４】
図４は、図１に示す状態から表示部２００を取り外した状態を示す斜視図である。図１に示すように、表示部２００が本体部１００上に重ねられた図１に示す状態では、ヒンジ３００の手前側の一部がキーボード１１０と重なっている。換言すれば、ヒンジ３００は、キーボード１１０と重なるまで前側に延在して設けられており、ヒンジ３００の前後方向の長さが十分に長く確保されている。このような構成により、表示部２００を開いた状態（図２）では、表示部２００を本体部１００に対してより奥側に移動させることができるため、表示部２００のチルト角を大きくすることができる。
【００２５】
［２．本体部、表示部、ヒンジのリンク機構］
図５は、本体部１００、表示部２００、ヒンジ３００のリンク機構を示す模式図である。図５の上段は図１に示す状態を模式的に示しており、下段は図２に示す状態を模式的に示している。図５に示す例では、ヒンジ３００の長さＬ１が長く、ヒンジ３００とキーボード１１０とが重なっている。図５に示すように、ヒンジ３００は２つのヒンジ板３１０及びヒンジ板３２０から構成されている。本体部１００とヒンジ３００とは、２つのリンク（節）３３０，３４０を介して接続されている。また、本体部１００と表示部２００とは、２つのリンク（節）３５０，３６０を介して接続されている。このような構成により、本体部１００に対して表示部２００を後側にスライドさせると、本体部１００に対して表示部２００をチルトすることができる。
【００２６】
図６は、図５との比較のため、ヒンジ３００の長さＬ２を図５のヒンジ３００の長さＬ１よりも短くして、ヒンジ３００がキーボード１１０と重ならないようにした例を示している。この場合、表示部２００をチルトさせると、ヒンジの長さＬ２が短いため、チルト角は図５の場合よりも小さくなり、表示部２００が上方を向いてしまう。このため、キーボード１１０を本体部１００のより前側に配置する必要があり、キーボード１１０の大きさに制約が生じてしまう。
【００２７】
一方、図５に示す本実施形態では、ヒンジ３００がキーボード１１０と重なるようにして、ヒンジの長さＬを十分に長くすることで、チルト角を十分に大きくすることができる。これにより、図２に示す状態では、表示部２００の下端を本体部１００のより奥側に位置させることができ、キーボード１１０を本体部１００のより奥側に配置することができる。従って、キーボート１１０の手前の領域にタッチパッド、パームレスト、ＮＦＣ等の構成要素を配置することが可能となる。また、チルト角を大きくすることで、図２に示す状態でユーザが情報処理装置１０００を机上に置いて操作する際に、表示部２００の視認性を高めることができる。
【００２８】
また、キーボード１１０にヒンジ３００が重なるように構成することで、ヒンジ３００の位置によってキーボード１１０の位置が制約を受けることがなく、キーボード１１０の使用領域を大きくとることができる。これにより、キーのピッチを大きくすることも可能となる。また、キーボード１１０上にヒンジ３００が重なるように構成することで、ヒンジ３００の使用領域が広がり、図２の状態とした時に表示部２００の下端を本体部２００の奥まで移動できる。これにより、チルト角を大きくすることができるととともに、キーボード１１０の領域をより広くとることができる。また、キーボード１１０を本体部１００のより後側に配置することも可能となる。従って、図２に示すように、キーボード１１０の前側にタッチパッド１２０を配置することができ、またＮＦＣ、パームレスト等を配置することも可能となる。一方、図６に示したように、ヒンジ３００がキーボード１１０と重ならないように構成すると、キーボード１１０を本体部１００のより前側に配置することになり、タッチパッド１２０を設けるスペースを確保することが困難となる。従って、本実施形態のようにキーボード１１０上にヒンジ３００が重なるように構成することで、キーボード１１０の前側に有効なスペースを確保することが可能となり、より付加価値の高い構成とすることができる。
【００２９】
また、本実施形態では、ヒンジ３００を本体部１００の中央の１箇所のみに配置している。仮にヒンジ３００を本体部１００の両端の２箇所に配置した場合、キーボード１１０の両側にヒンジ３００のスペースを設けることが想定され、本体部１００の横幅が増大する可能性がある。また、キーボード１１０の両側の本体部１００にヒンジを避けるための凹部、溝等が必要になることも想定される。従って、ヒンジ３００を本体部１００の中央の１箇所のみに配置したことにより、情報処理装置１０００の更なる小型化を達成することができ、情報処理装置１０００の構成を簡素にして外観を損なわないようにすることが可能となる。
【００３０】
［３．表示部と本体部の間に設けられる空間の活用］
次に、図１に示す状態でヒンジ３００が本体部１００と表示部２００の間に収納される構成について説明する。図７は、情報処理装置１０００の中央の前後方向に沿った断面を示す模式図である。図７に示すように、本体部１００の上面１００ａに対してキーボード１１０の上面１１０ａはある角度を有して配置されており、本体部１００の上面１００ａとキーボード１１０の上面１１０ａは平行ではない。このため、図４に示すように、本体部１００の奥側に行くほど、上面１００ａに対してキーボード１１０の上面１１０ａとの間に段差が生じるように構成されている。このような構成により、表示部２００とキーボード１１０との間には所定の空間Ｖが形成され、図１の状態では、ヒンジ３００はこの空間Ｖ内に配置される。従って、ヒンジ３００とキーボード１１０または表示部２００が干渉することがなく、ヒンジ３００を空間Ｖ内に収容することができる。
【００３１】
図８は、図７をより詳細に示す断面図である。図８に示すように、ヒンジ３００はキーボード１１０と表示部２００との間の空間Ｖに配置される。
【００３２】
また、ヒンジ３００は本体部１００の中央の１箇所のみに設けられるため、ヒンジ３００の両側にも空間Ｖが存在する。本実施形態では、このヒンジ３００の両側の空間Ｖが埋まるように表示部２００の裏側にキーボード１１０に向かって突出する膨らみ（凸状領域）２００ａを設けている。図９は、表示部２００の裏側に設けた凸状領域２００ａを示す模式図である。図９に示すように、膨らみ２００ａは表示部２００の中央に対して左右に設けられ、表示部２００とキーボード１１０との間に形成される空間Ｖの形状に合わせて、図１の状態で本体部１００よりも奥になるほど、表示部２００の厚さが厚くなるように構成される。
【００３３】
このような構成により、表示部２００の凸状領域２００ａには各種モジュールを配置することができる。図１０は、表示部２００の内部構造を示す模式図である。例えば、一方の凸状領域２００ａにはタッチパネル基板、カメラモジュール、ボタン基板からの３種類の信号線を１本にまとめる中継基板２２０を配置することができる。また、他方の凸状領域２００ａには、ＷＡＮモジュール、ＳＩＭスロットを搭載した基板を配置することができる。更に、凸状領域２００ａにＬＣＤハーネス、アンテナケーブル等を配置することで、凸状領域２００ａのスペースを余すところなく活用することが可能である。
【００３４】
また、凸状領域２００ａにはスピーカ、バッテリーなどの他のモジュールを配置することもできる。スピーカを凸状領域２００ａに配置した場合、本体側１００の空間に比して非常に大きな空間を使用することができるため、高音質のスピーカを配置することが可能となる。本体部１００に配置した場合と比べてより高い位置から音を伝えることが可能となり、音質を高めることが可能となる。また、凸状領域２００ａにバッテリーを配置した場合は、バッテリー容量の増加を図ることもできる。
【００３５】
通常、本体部１００にはマザーボード等のノイズの発生源となるモジュールが配置される。このため、表示部２００の凸状領域２００ａには、ノイズの影響を受け易い通信系のモジュール、アンテナ等を配置することが望ましい。これにより、本体部２００からのノイズの影響を抑止することが可能である。アンテナを配置した場合には、ＳＡＲ対策として有効に利用することもできる。また、凸状領域２００ａにＮＦＣ（Ｎｅａｒ  Ｆｉｅｌｄ  Ｃｏｍｍｕｎｉｃａｔｉｏｎ）を搭載するようにしても良い。
【００３６】
図１１及び図１２は、凸状領域２００ａにモジュールを配置した例を示す模式図である。図１１は、図１の状態を上方から見た状態を示している。また、図１２は、図１１中の一点鎖線ＩＩＩ−ＩＩＩ’に沿った断面を示しており、ヒンジ３００よりも右側の断面を示している。図１２に示すように、表示部２００の右側の凸状領域２００ａには、モジュールとしてＷＡＮ基板２４０が配置されている。他のモジュールも同様に配置することができる。空間Ｖは情報処理装置１０００の奥側ほど上下の幅が大きくなるため、比較的厚さのあるモジュールは情報処理装置１０００の奥側に配置し、比較的薄いモジュールは情報処理装置の手前側に配置することが好適である。
【００３７】
このように、本体部１００の上面１００ａに対してキーボード１１０の上面１１０ａを斜めに配置したことにより、キーボード１１０と表示部２００との間に空間Ｖを設けることができ、ヒンジ３００をキーボード１１０と重ねて配置することができる。また、キーボード１１０と表示部２００との間に空間Ｖを設けたことにより、ヒンジ３００の両側に凸状領域２００ａを設けることができる。従って、凸状領域２００ａにモジュールを配置することで、空間Ｖを有効利用して最小化することができ、情報処理装置１０００の全体の厚さを増やすことなく、モジュールを配置することが可能となる。本来は本体部１００に配置するモジュールを表示部２００側に配置することで、無駄なスペースを無くし、情報処理装置１０００の小型化、軽量化が可能となる。
【００３８】
以上説明したように本実施形態によれば、本体部１００に対して表示部２００がサーフスライドする構成において、ヒンジ３００を本体部１００の中央の１箇所のみに設けたため、ヒンジ３００を本体部１００の両側に設けた場合と比較して情報処理装置１０００の更なる小型化を達成することが可能となる。また、本体部１００と表示部２００を重ねた状態（図１）では、本体部１００と表示部２００との間に空間Ｖが形成されるようにしたため、この空間Ｖ内にヒンジ３００を収納することが可能となる。更に、表示部２００の本体部１００と対向する面に凸状領域２００ａを設け、本体部１００と表示部２００を重ねた状態（図１）では、空間Ｖ内を表示部２００の凸状領域２００ａが占有するようにしたため、凸状領域２００ａ内に所定のモジュールを格納することが可能となる。これにより、空間Ｖを有効活用することができ、情報処理装置１０００の更なる小型化を達成することが可能となる。
【００３９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００４０】
なお、以下のような構成も本開示の技術的範囲に属する。
（１）キーボードが設けられた平板状の本体部と、
表示面を有し、前記本体部と重なる第１の状態と、前記本体部に対して起立した第２の状態との間をスライドして移動する平板状の表示部と、
前記第１の状態では前記キーボードと重なるように配置され、前記本体部に対して前記表示部が移動可能となるように前記本体部と前記表示部とを連結する単一のヒンジと、
を備える、電子機器。
（２）前記ヒンジは、前記第１の状態において前記キーボードの幅方向の中央に延在するように配置される、前記（１）に記載の電子機器。
（３）前記本体部の上面よりも前記キーボードの上面が低くなるように段差が設けられ、
前記第１の状態では、前記表示部の前記本体部と対向する面と、前記本体部との間に空間が形成される、前記（１）に記載の電子機器。
（４）前記第１の状態では、前記空間に前記ヒンジが配置される、前記（３）に記載の電子機器。
（５）前記本体部の上面に対して前記キーボードの上面が傾斜している、前記（３）に記載の電子機器。
（６）前記表示部は、前記第１の状態で前記本体部と対向する面の少なくとも一部に凸状領域を有し、
前記第１の状態では、前記空間の少なくとも一部を前記凸状領域が占有し、前記凸状領域には所定のモジュールが配置される、前記（３）に記載の電子機器。
（７）前記第１の状態では、前記凸状領域は前記空間内で前記ヒンジの両側に配置される、前記（６）に記載の電子機器。
（８）前記所定のモジュールは、電子部品が搭載された回路基板、通信のためのモジュール、及びスピーカのうち少なくとも１つを含む、前記（６）に記載の電子機器。
（９）前記キーボードの手前側の領域にポインティングデバイスが設けられた、前記（１）に記載の電子機器。
【符号の説明】
【００４１】
１０００  電子機器
１００    本体部
１１０    キーボード
２００    表示部
３００    ヒンジ
３２０    凸状領域
【図１】
2014232387.tif 000003
【図２】
2014232387.tif 000004
【図３】
2014232387.tif 000005
【図４】
2014232387.tif 000006
【図５】
2014232387.tif 000007
【図６】
2014232387.tif 000008
【図７】
2014232387.tif 000009
【図８】
2014232387.tif 000010
【図９】
2014232387.tif 000011
【図１０】
2014232387.tif 000012
【図１１】
2014232387.tif 000013
【図１２】
2014232387.tif 000014